(57)【要約】      （修正有）【課題】表裏両面に給油部を備えた給油装置上に設置する燃料油販売装置において、保守性を向上させる燃料油販売装置を提供する。【解決手段】表示操作画面４２１Ａをそれぞれ備えるＰＯＳ端末機４２と、表裏両面に硬貨投入口４３１Ａ硬貨払出口４３３Ａ紙幣投入払出口４３５Ａを筐体４３Ａの表裏両面に備え、表裏両面の給油部に対して共通の貨幣取扱機４３とを給油装置上に設置する。【選択図】図３
0003171814.tif 000002
【実用新案登録請求の範囲】
【請求項１】
自動車用等の燃料油を給油する給油部を表裏両面に備えた給油装置上に設置される両面型燃料油販売装置であって、
前記表裏両面の給油部に対応する表示操作画面をそれぞれ備える表示操作部と、
該表示操作部に隣接した、前記表裏両面の給油部に対して共通の貨幣取扱部であって、筐体と、該筐体の表裏両面に設けた入金用の硬貨が投入される硬貨投入口と、前記筐体の表裏両面に設けた出金用の硬貨が払い出される硬貨払出口と、前記筐体の表裏両面に設けた入金用の紙幣が投入されるとともに出金用の紙幣が払い出される紙幣投入払出口とを備えた貨幣取扱部とを備えていることを特徴とする両面型燃料油販売装置。
【請求項２】
前記貨幣取扱部が、前記硬貨払出口からそれぞれ払出される前記出金用の硬貨を一括して貯留する硬貨貯留部と、前記紙幣投入払出口からそれぞれ払出される前記出金用の紙幣を一括して貯留する紙幣貯留部とを備えていることを特徴とする請求項１に記載の両面型燃料油販売装置。
【請求項３】
前記貨幣取扱部が、前記硬貨投入口からそれぞれ投入された前記入金用の硬貨の真贋と金種とを認識するとともに枚数を計数する硬貨認識計数部と、前記紙幣投入払出口からそれぞれ投入された前記入金用の紙幣の真贋と金種とを認識するとともに枚数を計数する紙幣認識計数部とを備えていることを特徴とする請求項１または２に記載の両面型燃料油販売装置。
【請求項４】
前記表示操作部が、給油指示を受け付ける前記表示操作画面を前記表示操作部の表裏両面にそれぞれ備えていることを特徴とする請求項１〜３のいずれか１項に記載の両面型燃料油販売装置。
【請求項５】
前記表示操作部と前記貨幣取扱部とを隣接させて収容するシャーシを備えたことを特徴とする請求項１〜４のいずれか１項に記載の両面型燃料油販売装置。
【考案の詳細な説明】
【技術分野】
【０００１】
本考案は自動車用等の燃料油を販売する燃料油販売装置に関する。より詳しくは、表裏両面に給油部を備えた給油装置上に設置され、表裏両面の給油部に対応する両面型燃料油販売装置に関する。
【背景技術】
【０００２】
近年、利用者自身が給油作業を行うセルフ給油方式の給油所が普及しつつある。このようなセルフ給油方式の給油所では、利用者の負担を軽減させるために給油装置の利用方法や、料金の精算を分かりやすく行うことが求められている。
【０００３】
そして、この精算方式も、現金、プリペイドカード等と多種多様であり、これらを纏めて処理するために販売時点情報管理方式（以下、ＰＯＳシステムという）が導入されている。したがって、セルフ給油方式の給油所では、ＰＯＳ端末と貨幣取扱機とからなる燃料油販売装置が給油装置とともに設置されている。
【０００４】
特許文献１には、各レーンに対応した給油装置をアイランド上にそれぞれ設け、当該アイランド上に各給油装置に対応する両面型燃料油販売装置を独立して設けることが提案されている。
【０００５】
しかしながら、近年、精算を給油装置により近い場所で行いたいという要求や、両面型燃料油販売装置の配置スペースの制約を解消したいという要求が高まり、図８に示すように、給油装置上に小型化した燃料油販売装置をそれぞれ設けた両面型給油販売装置が提案されている。
【先行技術文献】
【特許文献】
【０００６】
【特許文献１】特開２００９−１９９６２８号公報
【考案の概要】
【考案が解決しようとする課題】
【０００７】
しかしながら、図８に示されるような両面型給油販売装置は、アイランド上に独立して設置する燃料油販売装置に比較して貨幣取扱機の貨幣の貯留量が減少してしまう。さらに、このような両面型給油販売装置は、図９に示すように、表側および裏側に貨幣取扱機を独立して設ける必要がある。したがって、給油所の販売員は、表裏両側の貨幣取扱機に貨幣の補充やメンテナンス作業を行わなければならず、保守性が低下する虞がある。
【０００８】
本考案は、上記事情に鑑み、給油装置上に設置する両面型燃料油販売装置において、保守性を向上させることを目的とする。
【課題を解決するための手段】
【０００９】
上記課題を解決するために、本考案による両面型燃料油販売装置は、自動車用等の燃料油を給油する給油部を表裏両面に備えた給油装置上に設置される両面型燃料油販売装置であって、表裏両面の給油部に対応する表示操作画面をそれぞれ備える表示操作部と、表示操作部に隣接した、表裏両面の給油部に対して共通の貨幣取扱部であって、筐体と、筐体の表裏両面に設けた入金用の硬貨が投入される硬貨投入口と、筐体の表裏両面に設けた出金用の硬貨が払い出される硬貨払出口と、筐体の表裏両面に設けた入金用の紙幣が投入されるとともに出金用の紙幣が払い出される紙幣投入払出口とを備えた貨幣取扱部とを備えていることを特徴とする。ここで、本考案の両面型燃料油販売装置における「表裏両面の給油部に対して共通」とは、表裏両面の給油部の給油における貨幣の取扱に対して共通に用いられるという意味である。また、上記「筐体の表裏両面に設けた」とは、筐体の表裏両面のみに設けたものを意味するものではなく、筐体の表裏両面上の化粧板や、各種ベゼル等を含んで設けたものをも含む意味である。
【００１０】
また、本考案による両面型燃料油販売装置は、貨幣取扱部が、硬貨払出口からそれぞれ払い出される出金用の硬貨を一括して貯留する硬貨貯留部と、紙幣投入払出口からそれぞれ払い出される出金用の紙幣を一括して貯留する紙幣貯留部とを備えているものであってもよい。ここで、本考案による両面型燃料油販売装置における「出金用の硬貨」とは、予め出金用として準備された硬貨や、給油の料金として入金された硬貨等を意味する。また、上記「一括して貯留」とは、貨幣を金種別にそれぞれ共通の収納場所に纏めて貯留することを意味する。
【００１１】
また、本考案による両面型燃料油販売装置は、硬貨投入口からそれぞれ投入された入金用の硬貨の真贋と金種とを認識するとともに枚数を計数する硬貨認識計数部と、紙幣投入払出口からそれぞれ投入された入金用の紙幣の真贋と金種とを認識するとともに枚数を計数する紙幣認識計数部とを備えているものであってもよい。
【００１２】
また、本考案による両面型燃料油販売装置は、表示操作部が、給油指示を受け付ける表示操作画面を表示操作部の表裏両面にそれぞれ備えているものであってもよい。また、本考案による両面型燃料油販売装置は、表示操作部と貨幣取扱部とを隣接させて収容するシャーシを備えるものであってもよい。
【考案の効果】
【００１３】
本考案の両面型燃料油販売装置によれば、表裏両面の給油部に対応する表示操作画面をそれぞれ備える表示操作部と、表示操作部に隣接した、表裏両面の給油部に対して共通の貨幣取扱部であって、筐体と、筐体の表裏両面に設けた入金用の硬貨が投入される硬貨投入口と、筐体の表裏両面に設けた出金用の硬貨が払い出される硬貨払出口と、筐体の表裏両面に設けた入金用の紙幣が投入されるとともに出金用の紙幣が払い出される紙幣投入払出口とを備えた貨幣取扱部とを備えたことにより、表裏両側での給油作業に対して入出金の貨幣の取扱を共通化できるため、保守性を向上できる。
【００１４】
また、本考案の両面型燃料油販売装置によれば、貨幣取扱部が、表裏両面の硬貨払出口からそれぞれ払い出される出金用の硬貨を一括して貯留する硬貨貯留部と、表裏両面の紙幣投入払出口からそれぞれ払い出される出金用の紙幣を一括して貯留する紙幣貯留部とを備えることにより、部品点数を削減しつつ、貨幣の貯留量を増加させて保守性を向上できる。
【００１５】
また、本考案の両面型燃料油販売装置によれば、貨幣取扱部が、硬貨投入口からそれぞれ投入された入金用の硬貨の真贋と金種とを認識するとともに枚数を計数する共通の硬貨認識計数部と、紙幣投入払出口からそれぞれ投入された入金用の紙幣の真贋と金種とを認識するとともに枚数を計数する共通の紙幣認識計数部とを備えることにより、表裏両側における入金管理を共通化でき、保守性を向上できる。
【図面の簡単な説明】
【００１６】
【図１】両面型給油販売装置の外観正面図
【図２】両面型給油販売装置の外観背面図
【図３】両面型燃料油販売装置の外観正面図
【図４】両面型燃料油販売装置の外観背面図
【図５】両面型燃料油販売装置の外観平面図
【図６】セルフ方式の給油所における給油システムの構成図
【図７】貨幣取扱機の構成図
【図８】従来の両面型給油販売装置の構成図（その１）
【図９】従来の両面型給油販売装置の構成図（その２）
【考案を実施するための形態】
【００１７】
以下、本考案の一実施形態について図面を用いて説明する。図１および図２は、本考案による両面型燃料油販売装置の一実施形態を用いた両面型給油販売装置１の構成を示すものである。両面型給油販売装置１は、アイランド上に配置され、両面型給油販売装置１の表裏両側の各レーンに停車する車両に給油を行うとともに、各レーンでの給油におけるガイダンスや精算を行うものである。本実施形態において、図１は両面型給油販売装置１を表側から見た外観正面図、図２は両面型給油販売装置１を裏側から見た外観背面図とする。なお、本実施形態における表裏は特に限定されるものではない。
【００１８】
両面型給油販売装置１は、図１および図２が示すように、門型のフレーム２と、フレーム２内に配設された給油装置３と、給油装置３上に配設された本考案の一実施形態である両面型燃料油販売装置４とから構成されている。
【００１９】
最初に給油装置３について説明する。給油装置３は、両面型燃料油販売装置４に隣接する給油表示部３１と、複数の油種、例えばレギュラーガソリン、ハイオクガソリン、軽油の３油種を給油できる給油部３２Ａ，３２Ｂを表裏両面にそれぞれ備えている。給油表示部３１は、実際に給油した給油量や燃料油の単価等を示す給油表示画面３１Ａ，３１Ｂを表裏両面にそれぞれ有している。
【００２０】
給油部３２Ａ，３２Ｂは、油種毎の給油ノズル３２１Ａ，３２１Ｂ、給油ノズル３２１Ａ，３２１Ｂを保持するノズル保持部３２２Ａ，３２２Ｂ、および先端が給油ノズル３２１Ａ，３２１Ｂに接続され、フレーム２内を通り、基端が両面型給油販売装置１下の不図示の油圧機構部に接続されている給油ホース３２３Ａ，３２３Ｂを備えている。
【００２１】
次に本考案の一実施形態である両面型燃料油販売装置４について説明する。図３は、図１を要部拡大した両面型燃料油販売装置４の外観正面図、図４は図２を要部拡大した両面型燃料油販売装置４の外観背面図である。図５は両面型燃料油販売装置４の外観平面図である。
【００２２】
両面型燃料油販売装置４は、給油部３２Ａ，３２Ｂでの給油に対するガイダンス、精算および領収書の発行を行うものである。そして、両面型燃料油販売装置４は、シャーシ４１、シャーシ４１内に収容された１台のＰＯＳ端末機４２およびＰＯＳ端末機４２と隣接してシャーシ４１内に収容された１台の貨幣取扱機４３で構成されている。なお、ＰＯＳ端末機４２は、表面側および裏面側にそれぞれ分割されて構成されたものであってもよい。
【００２３】
シャーシ４１は給油装置に組み込まれるＰＯＳ端末機の日本国内業界標準規格の大きさを有するものであり、両面型燃料油販売装置４は、当該規格を満たす設置スペースを有する給油装置３上であれば設置可能であり、汎用性を有している。すなわち、両面型燃料油販売装置４は、剛性の高い鋼製等のシャーシ４１にＰＯＳ端末機４２と貨幣取扱機４３とが組み付けられて、全体として一体として構成されている。
【００２４】
両面型燃料油販売装置４の詳細を説明する前に、両面型給油販売装置１を設置したセルフ給油方式の給油所における給油システムについて説明する。図６は給油システムの構成図である。
【００２５】
セルフ給油方式の給油所においては、図６に示すようにＰＯＳシステムが導入されている。このＰＯＳシステムでは、給油所内に設置したＰＯＳ本体機５とＰＯＳ端末機４２とをＰＯＳ専用ＬＡＮで接続し、ＰＯＳ本体機５、給油装置３および貨幣取扱機４３を給油所標準規格ＬＡＮ（以下、ＳＳ−ＬＡＮという。）で接続している。また、ＰＯＳ端末機４２と貨幣取扱機４３とは不図示のケーブルを介して外部接続している。なお、本実施形態では、貨幣取扱機４３が、ＳＳ−ＬＡＮおよび外部接続の２つの経路で通信するものとして説明するが、ＰＯＳ本体機５との通信内容を外部接続のみを使用して、ＰＯＳ端末機４２を経由して通信する構成であってもよい。
【００２６】
このＰＯＳシステムの作用について説明する。ＰＯＳ端末機４２が、人物感知センサ等により利用者の接近を感知すると、両面型給油販売装置１の利用案内ガイダンスを開始する。次に、ＰＯＳ端末機４２は、給油作業に先立って利用者による油種、給油量および精算方式等の給油条件を受け付け、受け付けた各種情報をＰＯＳ専用ＬＡＮを介してＰＯＳ本体機５へ送信する。
【００２７】
現金による精算の場合、貨幣取扱機４３が、硬貨および／または紙幣による入金を受け付け、入金額をＳＳ−ＬＡＮを介してＰＯＳ本体機５へ送信する。また、現金以外のクレジットカード、プリペイドカードまたは電子マネーによる精算の場合、ＰＯＳ端末機４２が各種カード、電子マネー等の情報を読み取り、ＰＯＳ本体機５へ送信する。
【００２８】
給油所の販売員が給油作業を安全に行えることを確認すると、ＰＯＳ本体機５が給油装置３に利用許可を送信する。利用者がノズル保持部３２２Ａ，３２２Ｂから給油ノズル３２１Ａ，３２１Ｂを取り外して給油作業を開始する。
【００２９】
給油装置３が、給油を開始して給油表示部３１Ａ，３１Ｂに実際の給油量を表示する。利用者が給油ノズル３２１Ａ，３２１Ｂをノズル保持部３２２Ａ，３２２Ｂに戻して給油作業を終了する。給油装置３は、給油中に実際に給油した油種、給油量をＳＳ−ＬＡＮを介してＰＯＳ本体機５へ送信する。ＰＯＳ本体機５が、料金を計算し、ＰＯＳ専用ＬＡＮを介してＰＯＳ端末機４２に精算結果とレシートの発行情報を、ＳＳ−ＬＡＮを介して貨幣取扱機４３に釣銭払い出しが可能な情報を送信する。
【００３０】
現金による精算であって釣銭が必要な場合、貨幣取扱機４３が、硬貨および／または紙幣の出金を行う。現金以外の精算である場合、ＰＯＳ本体機５が、読み取ったカード等の情報に基づいて精算処理を行う。そして、ＰＯＳ端末機４２が領収書の発行を行う。
【００３１】
再び図３ないし図５を参照して説明する。ＰＯＳ端末機４２は、ＰＯＳ端末機４２の筐体４２Ａの表裏両面に、表示操作画面４２１Ａ，４２１Ｂ、クレジットカードやプリペイドカード等の各種カード情報を読み取るカード情報読取部４２５Ａ，４２５Ｂ、電子マネー媒体の情報を読み取る電子マネー情報読取部４２３Ａ，４２３Ｂ、音声ガイダンスを行うスピーカー４２４Ａ，４２４Ｂおよび領収書を発行する領収書発行部４２２Ａ，４２２Ｂをそれぞれ備えている。なお、ＰＯＳ端末機４２は、表示操作画面４２１Ａ，４２１Ｂ以外の上記の構成（不図示のインターホンを含む）を機能要求に応じて適宜取捨選択できるものである。
【００３２】
表示操作画面４２１Ａ，４２１Ｂは、液晶画面と当該液晶表示画面の前面に設けられたタッチパネルで構成され、ガイダンスの表示、給油条件の受け付けおよび貨幣取扱機４３のメンテナンス操作を行うものである。
【００３３】
カード情報読取部４２５Ａ，４２５Ｂは、不図示のカード挿入口に挿入された各種カードの情報を読み取るものである。電子マネー情報読取部４２３Ａ，４２３Ｂは、電子マネー媒体の情報を読み取るものである。領収書発行部４２２Ａ，４２２Ｂは、内蔵されたプリンタで印刷された領収書を不図示のレシート排出口から排出するものである。また、ＰＯＳ端末機４２は、前述の通り、不図示の人物感知センサを備えるものである。
【００３４】
貨幣取扱機４３は、表裏両側の給油部３２Ａ，３２Ｂによる給油代金の現金による入金および出金（釣銭）に対して、入金用の紙幣および／または硬貨の受け取りおよび貯留、出金用の紙幣および／または硬貨の貯留および払い出しを行うものである。貨幣取扱機４３は、図３および図４に示すように、入金用の硬貨が投入される硬貨投入部４３１，４３２、出金用の硬貨が払い出される硬貨払出部４３３，４３４、入金用および出金用の紙幣が投入および払い出される紙幣投入払出部４３５，４３６を筐体４３Ａの表裏両面にそれぞれ備えている。
【００３５】
硬貨投入部４３１，４３２は、筐体４３Ａの表裏両面に開口する硬貨投入口４３１Ａ，４３２Ａ、筐体４３Ａに開閉自在に支持されて硬貨投入口４３１Ａ，４３２Ａを露出または遮蔽する投入扉４３１Ｂ，４３２Ｂを備えている。利用者は、投入扉４３１Ｂ，４３２Ｂを開けて硬貨投入口４３１Ａ，４３２Ａに硬貨を１枚ずつ投入する。
【００３６】
硬貨払出部４３３，４３４は、筐体４３Ａの表裏両面に開口する硬貨払出口４３３Ａ，４３４Ａ、筐体４３Ａから突出し、払い出された硬貨を収容する硬貨収容皿４３３Ｂ，４３４Ｂ、筐体に開閉自在に支持され硬貨収容皿４３３Ｂ，４３４Ｂに払い出された硬貨を露出または遮蔽する払出扉４３３Ｃ，４３４Ｃを備えている。利用者は、払出扉４３３Ｃ，４３４Ｃを開けて硬貨払出口４３３Ａ，４３４Ａから払い出されて硬貨収容皿４３３Ｂ，４３４Ｂに収容されている硬貨を受け取る。
【００３７】
紙幣投入払出部４３５，４３６は、筐体４３Ａの表裏両面に開口する紙幣投入払出口４３５Ａ，４３６Ａ、筐体４３Ａに開閉自在に支持されて紙幣投入払出口４３５Ａ，４３６Ａを露出または遮蔽する投入払出扉４３５Ｂ，４３６Ｂを備えている。利用者は、投入払出扉４３５Ｂ，４３６Ｂを開けて紙幣投入払出口４３５Ａ，４３６Ａに紙幣を投入、または紙幣投入払出口４３５Ａ，４３６Ａから紙幣を受け取る。
【００３８】
次に貨幣取扱機４３の内部を含む構成について説明する。図７は貨幣取扱機４３の構成図である。貨幣取扱機４３は、図７に示すように、硬貨投入口４３１Ａ，４３２Ａから投入された入金用の硬貨を搬入する硬貨搬入部４３７、搬入された硬貨の真贋と金種とを認識するともに、各金種の枚数を計数する硬貨認識計数部４３８、真贋と金種との認識および枚数が計数された硬貨を金種別に一括して貯留する硬貨貯留部４３９、貯留された硬貨を出金用（釣銭用）として硬貨払出口４３３Ａ，４３４Ａに搬出する硬貨搬出部４４０、紙幣投入払出口４３５Ａ，４３６Ａから投入された入金用の紙幣を搬入するとともに、紙幣投入払出口４３５Ａ，４３６Ａに出金用（釣銭用）の紙幣を搬出する紙幣搬送部４４１、搬入された紙幣の真贋と金種とを認識するとともに、各金種の枚数を計数する紙幣認識計数部４４２、真贋と金種との認識および枚数が計数された紙幣を金種別に一括して貯留する紙幣貯留部４４３および制御部４４４を備えている。
【００３９】
入金された貨幣は、金種別に貯留されるため、入金された貨幣の一部は出金用の貨幣として払い出される（以下、還流と称する）。しかしながら、通常、一万円札は釣銭の対象とはならないので還流されない。なお、貨幣取扱機４３は、通常一定金額の釣銭用の準備貨幣を予め貯留して使用開始される。
【００４０】
硬貨搬入部４３７、硬貨搬出部４４０および紙幣搬送部４４１は、搬送コンベアで構成されているが、特に限定されるものではなく、表裏両面それぞれから投入された硬貨および紙幣を搬送できるものであればよく、図７に示すように、表からの搬送、共通の搬送、裏からの搬送の３つの搬送手段から構成されることが望ましい。硬貨計数認識部４３８は、表裏それぞれから投入された硬貨の真贋と金種、すなわち一円硬貨、五円硬貨、十円硬貨、五十円硬貨、百円硬貨および五百円硬貨を認識して各枚数を計数するものである。また、硬貨貯留部４３９は、金種毎に硬貨を一括して貯留するものであり、ホッパー式等の還流式貯留庫で構成されている。また、紙幣認識計数部４４２は、表裏それぞれから投入された紙幣の真贋と金種、すなわち千円札、二千円札、五千円札および一万円札を認識して各枚数を計数するものである。
【００４１】
制御部４４４は、貨幣取扱機４３の全体を制御するとともに、前述の通り、ＳＳ−ＬＡＮを介してＰＯＳ本体機５と入出金情報を通信し、もしくは、ＰＯＳ端末機４２と外部接続してメンテナンス情報を通信するものである。すなわち、貨幣取扱機４３内で発生するエラー情報や状態を隣接するＰＯＳ端末機４２の表示操作画面４２１Ａ，４２１Ｂを使用し、専用のメンテナンス用プログラムで表示させることができるため、貨幣取扱機４３の内部構造体を必ずしも引き出して確認することなく情報が入手できるため保守性が向上する。
【００４２】
制御部４４４は、表裏両側からの入金が同時に発生した場合、不図示の入金センサによって先に入金された側を優先させてもよく、予め表側または裏側かの優先順位を設定して対応するものであってもよい。そして、制御部４４４は、待機側の硬貨投入口をシャッタ等で遮蔽したり、待機側の紙幣投入払出口から投入された紙幣を紙幣搬送部４４１の途中で保持する等の処理を行わせることも可能である。制御部４４４は、不図示の入金センサと、優先の設定、前述の表裏からの貨幣投入に対して共通で使用される硬貨認識計数部４３８、紙幣認識計数部４４２により、表面、裏面いずれかからの入金であるかと金額をＰＯＳ本体機５に通知することができる。
【００４３】
上記の実施形態によれば、給油部３２Ａ，３２Ｂに対応する両面型給油販売装置として、ＰＯＳ端末機４２と、ＰＯＳ端末機４２に隣接した、給油部３２Ａ，３２Ｂの給油に対して共通する貨幣取扱機あって、硬貨投入口４３１Ａ，４３２Ａ、硬貨払出口４３３Ａ，４３４Ａおよび紙幣投入払出口４３５Ａ，４３６Ａを筐体４３Ａの表裏両面に設けた貨幣取扱機４３とを設けることにより、給油部３２Ａ，３２Ｂの給油に対する貨幣の取扱を共通化して対応できるため、保守性を向上できる。
【００４４】
また、上記の実施形態によれば、硬貨貯留部４３９が、硬貨投入口４３１Ａ，４３２Ａから投入される入金用の硬貨および硬貨払出口４３３Ａ，４３４Ａから払い出される出金用の硬貨を一括して貯留するとともに、紙幣貯留部４４３が、紙幣投入払出口４３５Ａ，４３６Ａから投入または払い出される紙幣も一括して貯留するため、部品点数を削減しつつ、硬貨および紙幣の貯留量を増加させて保守性を向上できる。
【００４５】
また、上記の実施形態によれば、硬貨認識計数部４３８が、硬貨投入口４３１Ａ，４３２Ａから投入された入金用の硬貨の金種認識と計数を一括して行い、紙幣認識計数部４４２が、紙幣投入払出口４３５Ａ，４３６Ａから投入または払い出される紙幣の入金または出金用の紙幣の金種認識と計数を一括して行うため、入金管理を共通化でき、保守性が向上する。
【符号の説明】
【００４６】
１                  両面型給油販売装置
３                  給油装置
４                  両面型燃料油販売装置
３２Ａ，３２Ｂ      給油部
４１                シャーシ
４２                ＰＯＳ端末機（表示操作部）
４３                貨幣取扱機（貨幣取扱部）
４３Ａ              筐体
４２１Ａ，４２１Ｂ  表示操作画面
４３１Ａ，４３２Ａ  硬貨投入口
４３３Ａ，４３４Ａ  硬貨払出口
４３５Ａ，４３６Ａ  紙幣投入払出口
４３８              硬貨認識計数部
４３９              硬貨貯留部
４４２              紙幣認識計数部
４４３              紙幣貯留部
【図１】
0003171814.tif 000003
【図２】
0003171814.tif 000004
【図３】
0003171814.tif 000005
【図４】
0003171814.tif 000006
【図５】
0003171814.tif 000007
【図６】
0003171814.tif 000008
【図７】
0003171814.tif 000009
【図８】
0003171814.tif 000010
【図９】
0003171814.tif 000011